(57)【要約】【課題】  被検者の当接状態が容易に確認でき、精度の高い検査が行え、また、検者が装置付近にいなくとも装置電源の状態を簡単に確認することができる検眼装置を提供すること。【解決手段】  検査窓を有する左右一対のレンズ室ユニットを持つ装置本体と、装置本体の駆動を行うコントローラとを有し，それの操作によって検査窓に光学素子を切換え配置して被検眼を自覚的に検査する検眼装置において、装置本体に設けられ被検者の顔の位置固定を行うための額当てと、被検者の顔が額当てに当接しているか否かを検知する検知手段と、それの検知結果を検者に報知する発光手段と、その発光を制御する発光制御部とを備え、発光制御部は検知手段の検知結果に基づいて被検者の顔が額当てに当接していない間は発光手段を常時発光または点滅発光させ，額当てに当接している間は発光手段を消灯させる制御を行う。【選択図】      図３
2007061508.tif 000002
【特許請求の範囲】
【請求項１】
検査窓を有する左右一対のレンズ室ユニットを持つ装置本体と、該装置本体の駆動を行うためのコントローラとを有し，該コントローラの操作によって前記検査窓に光学素子を切換え配置して被検眼の屈折力を自覚的に検査する検眼装置において、前記装置本体に設けられ被検者の顔の位置固定を行うための額当てと、被検者の顔が前記額当てに当接しているか否かを検知する検知手段と、該検知手段の検知結果を検者に報知するための発光手段と、該発光手段の発光を制御する発光制御部とを備え、該発光制御部は前記検知手段の検知結果に基づいて被検者の顔が前記額当てに当接していない間は前記発光手段を常時発光または点滅発光させ，前記額当てに当接している間は前記発光手段を消灯させる制御を行うことを特徴とする検眼装置。
【請求項２】
請求項１の検眼装置において、前記発光手段は前記額当てが設けられている装置本体の面と反対の面に設けられていることを特徴とする検眼装置。
【請求項３】
請求項２の検眼装置において、前記発光手段は装置の通電状態を確認するためのパイロットランプとして用いられることを特徴とする検眼装置。
【発明の詳細な説明】
【技術分野】
【０００１】
本発明は、被検眼の屈折力を自覚的に測定する自覚式検眼装置に関する。
【背景技術】
【０００２】
従来、被検眼の位置決めや顔の保持のために、額当てが設けられた検眼装置が知られている。このような自覚的検眼装置において、額当てに連結した表示部材を有し、被検者の顔が額当てを押すことによって表示部材が突出し、被検者の顔が額当てに当接していることを検者に報知する検眼装置が知られている（特許文献１参照）。
【特許文献１】実公昭５６−９４４４号公報
【発明の開示】
【発明が解決しようとする課題】
【０００３】
このような自覚式の検眼装置では、装置本体を駆動させるコントローラは本体と分離されており、コントローラの操作や前方に呈示される視標の確認等を行う検者にとって、検眼作業中に被検者の顔が額当てに当接しているかをいちいち確認することは煩わしい。このため、上述したような表示部材が突出しているか否かによって当接の確認を行う検眼装置では、被検者の顔が額当てに当接しているかを簡単に確認し難い。また、このような検眼作業は暗室にて行われる場合があり、上述した検眼装置では、なおさら簡単に確認ができないこととなる。
【０００４】
また、自覚式検眼装置の主電源のＯＮ／ＯＦＦの確認は、通常、コントローラに設けられているパイロットランプで行うが、検者が検眼装置から離れてしまうと、電源のＯＮ／ＯＦＦの状態を簡単に確認することができない。
【０００５】
上記従来技術の問題点に鑑み、簡単な構成で被検者の当接状態が容易に確認でき、精度の高い検査ができる検眼装置を提供することを技術課題とする。また、検者が装置付近にいなくとも装置電源のＯＮ／ＯＦＦ状態を簡単に確認することのできる検眼装置を提供することを技術課題とする。
【課題を解決するための手段】
【０００６】
上記課題を解決するために、本発明は以下のような構成を備えることを特徴とする。
（１）  検査窓を有する左右一対のレンズ室ユニットを持つ装置本体と、該装置本体の駆動を行うためのコントローラとを有し，該コントローラの操作によって前記検査窓に光学素子を切換え配置して被検眼の屈折力を自覚的に検査する検眼装置において、前記装置本体に設けられ被検者の顔の位置固定を行うための額当てと、被検者の顔が前記額当てに当接しているか否かを検知する検知手段と、該検知手段の検知結果を検者に報知するための発光手段と、該発光手段の発光を制御する発光制御部とを備え、該発光制御部は前記検知手段の検知結果に基づいて被検者の顔が前記額当てに当接していない間は前記発光手段を常時発光または点滅発光させ，前記額当てに当接している間は前記発光手段を消灯させる制御を行うことを特徴とする。
（２）  （１）の検眼装置において、前記発光手段は前記額当てが設けられている装置本体の面と反対の面に設けられていることを特徴とする。
（３）  （２）の検眼装置において、前記発光手段は装置の通電状態を確認するためのパイロットランプとして用いられることを特徴とする。
【発明の効果】
【０００７】
本発明によれば、被検者の当接状態が容易に確認でき、精度の高い検査が行える。また、検者が装置付近にいなくとも装置電源のＯＮ／ＯＦＦ状態を簡単に確認することができる。
【発明を実施するための最良の形態】
【０００８】
本発明の実施形態を図面を用いて以下に説明する。図１は自覚式検眼装置の本体を被検者側から見たときの外観概略図である。図２は検眼装置全体を示した構成図である。検眼装置本体１は左右対称な一対のレンズ室ユニット６０と、この左右のレンズ室ユニット６０を吊下げ、左右の間隔を調整するための移動ユニット６を備える。左右のレンズ室ユニット６０の筐体内部には、種々の多数の光学素子６５（レンズ等）を同一円周上に配置（保持）した複数のレンズディスク６４が回転可能に設けられている。これらのディスク６４は、図示を略すディスク駆動機構により回転され、検査窓６１に光学素子６５が適宜配置される。なお、６２ａ,６２ｂはディスク６４やディスク駆動機構等を覆うカバーである。
【０００９】
また、装置本体１はテーブル１０に設けられている支持アーム４によってテーブル１０の上方に支持されている。１１はテーブルを上下動させるための上下動スイッチであり、このスイッチ１１を用いることによって、図示無き駆動手段によりテーブル１０の天板の高さ位置を調節するとともに、装置本体１の高さを調節することができる。９は装置本体１の操作を行うコントローラで、装置本体１と分離されており、ケーブルにより装置本体１と電気的に接続される。コントローラ９は、固定されるものではなく、検者の好みの場所に置ける。
【００１０】
７０は被検者の額と当接する額当てであり、７１は額当て７０と移動ユニット６とを連結させるための連結部である。額当て７０は、被検者の額（頭部）を保持し、位置決めを行う保持部材としての役割を持つ。これにより、被検眼を検査窓６１に対して所定の位置関係に保持することでき、精度の高い検眼ができる。移動ユニット６には、連結部７１を介して、被検者の額が額当て７０に当接した（被検者の顔が所定の検査位置に位置している）ことを検知する額検知機構７２が内蔵されている。
【００１１】
図３は、額検知機構７２の構成を説明する概略図である。７３は移動ユニット６内を挿通する送りネジであり、送りネジ７３の雄ネジ部分は連結部７１の雌ネジ部分と螺合する。送りネジ７３と螺合する連結部７１は、移動ユニット６の案内孔と嵌合する。７４は移動ユニット６内部に設けられたばねであり、送りネジ７３を介して連結部７１を被検者側へ付勢する。７５は送りネジ７３の検者側端部に固設された回転ノブである。連結部７１には溝７７があり、この溝７７と回転止め用のピン７６により連結部７１が回転するのを防止しているため、検者が回転ノブ７５を回転させると、連結部７１が送りネジ７３の回転軸方向に移動する。これにより、被検眼の角膜頂点と検査窓６１の距離（頂間距離）を調節する。７８は移動ユニット６に固設され、回転ノブ７５と嵌合部を有する取付部材である。
【００１２】
８０は送りネジ７３にフランジ８１を介して取り付けられた遮光板である。８２はフォトセンサであり、遮光板８０の挿脱を検知する役割を有する。額検知機構７２において、被検者の額が額当て７０に当接すると、連結部７１が検者側へ移動（軸方向に移動）するので、連結部７１と螺合する送りネジ７３がばね７４の付勢力に逆らって検者側に移動する。これに伴い、遮光板８０が検者側に移動する（図中の実線部分）ので、フォトセンサ８２は遮光板８０を検知する。ここで、フォトセンサ８２と遮光板８０とで、フォトインタラプタ機能を成している。また、被検者の額が額当て７０から離れている時には、遮光板８０は図中の点線部分に位置され、フォトセンサ８２は遮光板８０を検知しない。このような構成により、被検者の額が額当て７０に当接したことを検知できる。
【００１３】
取付部材７８には被検者の額が額当て７０に当接したことを検者に知らせるための発光手段８５が取り付けられている。発光手段８５には、ＬＥＤ（発光ダイオード）や電球等が用いられる。発光手段８５は、被検者の額が額当て７０から離れた時に点灯し、被検者の額が額当て７０に当接した時に消灯する。
【００１４】
なお、発光手段８５は、額当て７０が設けられた装置本体１の面と反対の面（検者側）に配置される。これにより、検者から発光状態が視認し易くなる。
【００１５】
図４は検眼装置の制御ブロック図を示したものである。２０はＣＰＵからなる制御部であり、６６は接続された制御部２０からの信号に基づいて、ディスク６４を回転駆動するディスク駆動機構である。フォトセンサ８２は、制御部２０に接続されており被検者の額が額当てに当接しているか否かの信号を、制御部２０へと送る。発光手段８５は制御部２０と接続されており、制御部２０により点灯、消灯の切り換え制御がなされる。なお、制御部２０による発光手段８５の発光制御（点灯、消灯）は、フォトセンサ８２からの信号に基づいて行われる。
【００１６】
９０はコントローラ９の制御を行うためのＣＰＵからなる制御部である。コントローラ９と本体１とはケーブルによって電気的に接続されている。９１はモニタで、コントローラ９の設定や本体１の設定等を表示する。９２はスイッチ類であり、本体１の設定を変更したり、操作するためのスイッチやノブ全般をまとめて表したユニットである。９３はパイロットランプであり、本体１やコントローラ９の主電源が入っている場合に点灯する。
【００１７】
なお、本体１側の発光手段８５は、コントローラ９側のパイロットランプ９３の機能を兼ねる。つまり、検眼装置の主電源が入っている場合、パイロットランプ９３と発光手段８５は点灯し、主電源が切れている場合は、発光手段８５もパイロットランプ９３も消灯する。但し、前述したように、額当て７０に被検者の額が当接した場合には、発光部８５が消灯する。このとき、パイロットランプ９３は点灯したままとなる。
【００１８】
以上のような構成を備える検眼装置の動作を説明する。検者は、被検者の他覚検査データ（球面度数、乱視度数、乱視軸角度）及び瞳孔間距離が得られているときは、コントローラ９のスイッチ類９２を操作して、その測定データを入力する。そのデータはコントローラ９の制御部９０及び本体１の制御部２０に送られる。瞳孔間距離のデータが入力されると、制御部２０は、入力された瞳孔間距離に基づいてモータ等を駆動制御し、左右のレンズ室ユニット６０をスライド移動させる。
【００１９】
額当て７０に被検者の額が当接されていない間は、フォトセンサ８２から制御部２０に信号が送信されおり、制御部２０は信号を受信している間、発光手段８５を点灯させている。額当て７０に被検者の額が当接されると、フォトセンサ８２に遮蔽板８０が挿入され、制御部２０への信号の送信が停止する。制御部２０はフォトセンサ８２からの信号を受信しなくなったことを受けて、被検者の顔が検査位置にあることを検知し、発光手段８５の点灯状態を消灯状態へと切り換える。
【００２０】
検者は、被検者が検査位置にあることを確認した後に、検眼を開始する。検者は、被検者に図示なき視標呈示装置等で視標を呈示し、スイッチ類９２を操作し検査窓６１に適宜レンズを配置させ、自覚的な視力を測定する。検眼中、額当て７０に被検者の額が当接していないと、フォトセンサ８２はその状態を検知し、信号を制御部２０へと送る。その信号に基づいて、制御部２０は発光手段８５を消灯状態から点灯状態に切り換える。発光手段８５の点灯に気付くと、検者は検査を中断し、被検者に対して額を額当て７０にしっかりと当接させるように伝える。このように、当接している間は発光手段８５を消灯させ、当接していない間は点灯させることにより、検眼作業に集中している検者に被検者の当接不良を認識させ易い。
【００２１】
また、このような発光制御を行うことにより、暗室にて検眼作業を行う場合でも、額当て７０に被検者の額が当接している間は消灯しているため、不要な光を発生することがなく、暗室における検眼の精度が向上する。
【００２２】
さらに、発光手段８５がコントローラ９のパイロットランプ９３の機能を兼ねており、検眼が行われていないときには発光手段８５は常時点灯している。このため、検眼装置から離れた位置にいたとしても遠くから装置の主電源が入っているか否か（ＯＮ／ＯＦＦ状態）が容易にわかることとなり電源の切り忘れを抑制することができる。
【００２３】
以上説明した検眼装置では、額当接検知をフォトセンサによる電気的な検知としたが、これに限るものではない。機械的な検知であってもよい。例えば、押し込み型のスイッチを用いて、スイッチ部に圧力があると、スイッチが切れる仕組みを利用し、それを発光手段や額当てと連動させればよい。本実施形態で説明した額検知機構の機械的動作を利用し、被検者が額を当接させると、スイッチ部に圧力がかかり、スイッチが切れて、それと接続される発光手段が消灯するようにしてもよい。この場合は、機械的な額検知機構が検知手段となる。また、切り換えスイッチ等を用いて、額当てに連動した機械的動作でそのスイッチを切り換え、発光手段の発光を切り換える方法であってもよい。
【００２４】
また、本実施形態では、発光手段の点灯を常時点灯とするものとしているが、これに限るものではなく、点滅点灯を用いることもできる。
【００２５】
さらに本実施形態では、発光手段を装置本体に設けるものとしているが、これに限るものではない。検者が検眼装置から離れた位置から主電源のＯＮ／ＯＦＦの確認を行う必要がなければ、額当てへの接触状態を検者に報知するための発光手段をコントローラに設けることもできる。なお、コントローラに設けた発光手段にパイロットランプ機能を持たせることもできる。
【００２６】
さらにまた、本実施例では、発光手段によって、検者に被検者の顔が装置本体に当接したか否かを報知する構成としたが、これに限るものではない。検眼装置本体やコントローラ等に図示なきブザーを設けて、被検者の額が当接しなくなった時に、音で検者に報知する構成を併用してもよい。このブザーを発光手段の変わりとし、ブザーだけを設ける構成としてもよい。また、音による報知は、被検者の顔が当接した時と当接しなくなった時、つまり、当接状態の変化があった際に行う構成としてもよい。
【図面の簡単な説明】
【００２７】
【図１】自覚式検眼装置の本体を被検者側から見たときの外観概略図である。
【図２】検眼装置全体を示した構成図である。
【図３】額検知機構７２の構成を説明する概略図である。
【図４】検眼装置の制御ブロック図を示したものである。
【符号の説明】
【００２８】
１  検眼装置本体
９  コントローラ
１０  テーブル
２０  制御部
６０  レンズ室ユニット
７０  額当て
７２  額検知機構
７５  回転ノブ
８０  遮光板
８２  フォトセンサ
８５  発光手段
９０  制御部
９３  パイロットランプ
【図１】
2007061508.tif 000003
【図２】
2007061508.tif 000004
【図３】
2007061508.tif 000005
【図４】
2007061508.tif 000006